(57)【要約】【課題】  本発明は両面スキャナー装置を提供する。【解決手段】  第一スキャンモジュール、第二スキャンモジュール、インプットのロールセット、第一インプットのロールセット、第二インプットのロールセット、アウトプットのロールセットと、位置センサーを含む。第二スキャンモジュールの機構を簡易化でき、両面のスキャナー装置の体積を小さくする。【選択図】図２
2007325245.tif 000002
【特許請求の範囲】
【請求項１】
プラットフォーム式のスキャナーと、前記ガラスのプラットフォームに設置する自動フィーダー装置とを含む両面のスキャナー装置であって、
前記プラットフォーム式のスキャナーはさらにガラスのプラットフォームと、第一スキャン領域にスキャンする書類の第一面をスキャンするための第一スキャンモジュールとを含み、
前記自動フィーダー装置はさらに前記スキャンする書類をインプットトレーからフォワードチャネルへ送るためのインプットのロールセットと、
前記スキャンする書類を前記フォワードチャネルから前記第一スキャンする領域へ送るための第一フィーダーロールセットと、
前記スキャンする書類を前記第一スキャン領域から第二スキャン領域へ送るための第二フィーダーロールセットと、
前記スキャンする書類を第二スキャン領域からアウトプットトレーへ送るアウトプットのロールセットと、
第二スキャン領域に位置し、前記スキャンする書類の近接を感知するための位置センサーと、
前記第二スキャン領域に設置し、スキャンする書類の第二面をスキャンするための第二スキャンモジュールとを含み、前記第二スキャン領域は前記第二インプットのロールセットと前記アウトプットのロールセットの間に位置することを特徴とする、両面スキャナー装置。
【請求項２】
前記第二スキャンモジュールはコンタクト式の映像センサーであることを特徴とする請求項１に記載の両面スキャナー装置。
【請求項３】
前記第二スキャンモジュールは前記インプットトレーの下端に設置されることを特徴とする請求項１に記載の両面スキャナー装置。
【請求項４】
スキャナー装置の自動フィーダー装置であって、
スキャンする書類をインプットトレーからフォワードチャネルへ送るためのインプットのロールセットと、
前記自動フィーダー装置がプラットフォーム式のスキャナーに連接される際に、前記プラットフォーム式のスキャナーが前記スキャンする書類の第一面をスキャンさせるための第一スキャン領域と、
前記スキャンする書類を前記フォワードチャネルから前記第一スキャン領域へ送るための第一インプットのロールセットと、
前記スキャンする書類を前記スキャン領域から前記第二スキャン領域へ送るための第二インプットのロールセットと、
前記スキャンする書類を前記第二スキャン領域からアウトプットトレーへ送るアウトプットのロールセットと、
第二スキャン領域に位置し、前記スキャンする書類の近接を感知するための位置センサーと、
前記第二スキャンする領域に設置し、スキャンする書類の第二面をスキャンするための第二スキャンモジュールを含み、前記第二スキャン領域は前記第二インプットのロールセットと前記アウトプットのロールセットの間に位置することを特徴とするスキャナー装置の自動フィーダー装置。
【請求項５】
前記スキャンモジュールがコンタクト式の映像センサーであることを特徴とする、請求項４に記載の自動フィーダー。
【請求項６】
前記第二スキャンモジュールが前記インプットトレーの下端に設置されることを特徴とする請求項４に記載の自動フィーダー。
【発明の詳細な説明】
【技術分野】
【０００１】
本発明は両面スキャナー装置に関し、特に、一対のスキャンモジュールを持つ両面スキャナー装置に関する。
【背景技術】
【０００２】
スキャナーの主な目的は映像の捕獲を行うこと、即ち、ペーパー書類にある内容をスキャンする方式により電子ファイルに転換し、ユーザーが伝送、整理或いは保存を行うことである。スキャナーの技術の発展につれて、スキャナーの進歩は解像度とスキャナーの品質の向上に加え、スキャンするスピードとスキャナーの体積なども発展する。
【０００３】
従来のスキャナーは書類の片面の映像のみをスキャンすることができ、両面書類の映像をスキャンする際には手動の方式により書類をひっくり返して書類の他面の映像をスキャンさせることが必要である。
【０００４】
近年は、市場では両面の書類をスキャンするニーズが多くなり、書類の両面映像をスキャンできる両面スキャナー装置が積極的に提供される。
【０００５】
一般的に市販の両面スキャナー装置には二種類があり、第一種はスキャンモジュールを１セット持つ両面のスキャナー装置である。１セットのスキャンモジュールのみのため、書類の両面をスキャンする場合は、所定の機構の設計により書類を裏返して両面をスキャンする目的を達成する。このような両面のスキャナー装置によりスキャンを行う際に、普通は書類をスキャン領域に２回（ツゥパスと称する）或いは３回（スリーパスと称する）送らなければならず、これにより１回の両面スキャンを完成するようにする。
【０００６】
第二種の両面のスキャナー装置は、スキャンモジュールを２セット持つスキャナー装置である。この２セットのスキャンモジュールのそれぞれはスキャン領域の両側に設置され書類の両面の映像を読取るため、書類はスキャン領域に１回に送るだけで、両面をスキャンする動作を完成できる。これは前記第一種の両面のスキャナー装置よりも第二種の両面のスキャナー装置の方が時間が節約される。
【０００７】
図１は従来のスキャンモジュールを２セット持つスキャナー装置を示す概略図である。図１における両面のスキャナー装置には自動フィーダー装置１０１、ガラスフォーム１０２、インプットトレー１０３、アウトプットトレー１０４、第一スキャンモジュール１０７、第二スキャンモジュール１０８、インプットのロールセット１０９、アウトプットのロールセット１１０、第一インプットのロールセット１０５、第二インプットのロールセット１０６とフォワードチャネル１１１を含む。中でも、第一スキャンモジュール１０７は自動フィーダー装置１０１内に設置され、第二スキャンモジュール１０８はスキャナー装置のガラスフォーム１０２の下端に設置される。両面のスキャナー装置１００がスキャンし始めると、インプットトレー１０３上に置かれる書類１２０をインプットのロールセット１０９でフォワードチャネル１１１に送り、さらに第一インプットのロールセット１０５により書類１２０をガラスフォーム１０２上のスキャナーウィンドウ１３０に通過させ、第一スキャンモジュール１０７と第二スキャンモジュール１０８がスキャナーウィンドウ１３０により書類１２０の映像をスキャンすることができる。第一スキャンモジュール１０７は書類１２０の第一面をスキャンするためのもので、第二スキャンモジュール１０８は書類１２０の第二面をスキャンするためのものである。書類１２０がスキャナーウィンドウ１３０を完全に通過すると、両面の映像がスキャンされたことを示す。第二インプットのロールセット１０６とアウトプットのロールセット１１０は書類１２０をアウトプットトレー１０４に送るものである。
【０００８】
第一スキャンモジュール１０７と第二スキャンモジュール１０８は同じスキャナーウィンドウ１３０を通過しスキャンされるため、２個のスキャンモジュールの光源による映像のくもりを避けるよう第一スキャンモジュール１０７の上端にある第二スキャンモジュール１０８と第一スキャンモジュール１０７の位置とが合わないよう少々ずらされる必要がある。そのため両者の光源は相互に影響しない。図１に示すように、書類１２０がガラスフォーム１０２上のスキャナーウィンドウ１３０に送られると、書類１２０はまず第一スキャンモジュール１０７のスキャン可能な範囲に入り、第一スキャンモジュール１０７から書類１２０の第一面をスキャンする。このとき、第二スキャンモジュール１０８は停止中である。書類１２０がアウトプット方向へ移動し、第二スキャンモジュール１０８のスキャン可能な範囲に入ると、第二スキャンモジュール１０８は書類１２０の第二面をスキャンし始め、且つ、第一スキャンモジュール１０７が書類１２０の第一面をスキャンする。
【０００９】
図１に係る従来装置は以下の欠点を有する。まず、第一スキャンモジュール１０７と第二スキャンモジュール１０８の位置精度があう必要があるため、組立てる際に作業時間がかかる。さらに、図１に係る従来装置において、第二スキャンモジュール１０８がスキャナーウィンドウ１３０によりスキャンするため、第二スキャンモジュール１０８と関連の書類の転送機構もスキャナーウィンドウ１３０に対応する箇所に設置しなければならない。こうすると、自動フィーダー装置１０１は高さを要し、そこに第二スキャンモジュール１０８を収納する。従って、両面のスキャナー装置１００が占めるスペースが大きくなる。
【発明の開示】
【発明が解決しようとする課題】
【００１０】
本発明は両面スキャナー装置を提供し、インプットトレー下にスキャンモジュールを設置することにより、両面スキャナー装置の高さを低下させ、スペースを省略することを目的とする。
【００１１】
好ましい実施例において、
プラットフォーム式のスキャナーと、ガラスのプラットフォームに設置する自動フィーダー装置とを含む両面スキャナー装置であって、
プラットフォーム式のスキャナーはさらにガラスのプラットフォームと、第一スキャン領域にスキャンする書類の第一面をスキャンするための第一スキャンモジュールとを含み、
自動フィーダー装置はさらに前記スキャンする書類をインプットトレーからフォワードチャネルへ送るためのインプットのロールセットと、
前記スキャンする書類を前記フォワードチャネルから前記第一スキャン領域へ送るための第一フィーダーロールセットと、
前記スキャンする書類を前記第一スキャン領域から第二スキャン領域へ送るための第二フィーダーロールセットと、
前記スキャンする書類を第二スキャン領域からアウトプットトレーへ送るアウトプットのロールセットと、
第二スキャン領域に位置し、前記スキャンする書類の近接を感知するための位置センサーと、
前記第二スキャン領域に設置し、スキャンする書類の第二面をスキャンするための第二スキャンモジュールとを含み、前記第二スキャン領域は前記第二インプットのロールセットと前記アウトプットのロールセットの間に位置することを特徴とする。
【００１２】
好ましくは前記第二スキャンモジュールはコンタクト式の映像センサーである。
【００１３】
好ましくは第二スキャンモジュールを前記インプットトレーの下端に設置する。
【００１４】
好ましい実施例において、
本発明はスキャナー装置の自動フィーダー装置であって、
スキャンする書類をインプットトレーからフォワードチャネルへ送るためのインプットのロールセットと、
前記自動フィーダー装置がプラットフォーム式のスキャナーに連接される際に、前記プラットフォーム式のスキャナーが前記スキャンする書類の第一面をスキャンさせるための第一スキャン領域と、
前記スキャンする書類を前記フォワードチャネルから前記第一スキャン領域へ送るための第一インプットのロールセットと、
前記スキャンする書類を前記スキャン領域から前記第二スキャン領域へ送るための第二インプットのロールセットと、
前記スキャンする書類を前記第二スキャン領域からアウトプットトレーへ送るアウトプットのロールセットと、
第二スキャン領域に位置し、前記スキャンする書類の近接を感知するための位置センサーと、
前記第二スキャンする領域に設置し、スキャンする書類の第二面をスキャンするための第二スキャンモジュールを含み、前記第二スキャンする領域は前記第二インプットのロールセットと前記アウトプットのロールセットの間に位置することを特徴とする。
【００１５】
好ましくは前記スキャンモジュールがコンタクト式の映像センサーである。
【００１６】
好ましくは前記第二スキャンモジュールが前記インプットトレーの下端に設置される。
【発明を実施するための最良の形態】
【００１７】
図２は本発明に係る両面スキャナー装置の好ましい実施例を示す概略図を示す。図２において、両面スキャナー装置２００は自動フィーダー装置２１１とプラットフォーム式のスキャナー２１５を含む。自動フィーダー装置２１１にはインプットトレー２０１、インプットのロールセット２０２、第一インプットのロールセット２０３、第二インプットのロールセット２０４、インプットのロールセット２０５、第一スキャンする領域２１２、第二スキャンする領域２１３、アウトプットトレー２０８、位置センサー２０９、フォワードチャネル２１４、第二スキャンモジュールとプラーテンロール２１７を含む。プラットフォーム式のスキャナー２１５は第一キャンモジュール２０６とガラスプラットフォーム２１６を含む。
【００１８】
両面スキャナー装置２００が両面をスキャンすると、インプットのロールセット２０２はスキャンする書類２１０をインプットトレー２０１からフォワードチャネル２１４に送り、且つ、第一インプットのロールセット２０３は書類２１０を第一スキャン領域２１２に送り、第一スキャン領域２１２下に位置する第一スキャンモジュール２０６が書類２１０の第一面をスキャンする。続いて、第二インプットのロールセット２０４は書類を第二スキャン領域２１３に送る。第一スキャン領域２１２に、書類２１０が第二スキャン領域２１３に入るかどうかを感知するための位置センサー２０９を設置する。位置センサー２０９は書類２１０が第二スキャン領域２１３に入ったことを感知すると、第二スキャンモジュール２０７は書類２１０が第二スキャン領域２１３から離れるまで書類２１０の第二面をスキャンする。第二スキャンする領域２１３から離れた書類２１０はインプットのロールセット２０５によりアウトプットトレー２０８に送られる。これで、両面のスキャンが完了する。
【００１９】
図２の実施例で、本発明では、自動フィーダー装置２１１のうちの第二スキャンモジュール２０７と第一スキャンモジュール２０６のそれぞれは第二スキャン領域と第一スキャン領域で書類をスキャンするため、第一スキャンモジュールと第二スキャンモジュールに位置決めすることはなく、実装の時間を節約する。ほかに、本発明は元のインプットトレー２０１の下の不要なスペースに自動フィーダー装置２１１内の第二スキャンモジュールを設置するため、第一スキャン領域２１２内に含まれる部材数を削減でき、且つ自動フィーダー装置２１１の高さを低くできる。
【００２０】
以上の記述は本発明の好ましい実施例にすぎず、本発明の請求項に限定されるものはではない。また、本願の技術思想は他の類似するテストシステムに汎用されるため、本発明の記載する精神から逸脱されていない等価の完成品は共に本発明の請求項の範囲に属する。
【図面の簡単な説明】
【００２１】
【図１】従来に係る両面のスキャナー装置を示す概略図である。
【図２】本発明に係る両面のスキャナー装置の好ましい実施例を示す概略図である。
【符号の説明】
【００２２】
１００、２００    スキャナー
１１０、２０５    アウト−プットのロールセット
１０１、２１１    自動フィーダー装置
１１１、２１４    フォワードチャネル
１０２、２１６    ガラスフォーム
１２０、２１０    スキャンする書類
１０３、２０１    インプットトレー
１３０            スキャナーウィンドウ
１０４、２０８    アウト−プットトレー
２０９            位置センサー
１０５、１０６、２０３、２０４    インプットのロールセット
２１２、２１３    スキャンする領域
１０７、１０８、２０６、２０７    キャンモジュール
２１５            プラットフォーム式のスキャナー
１０９、２０２    インプットのロールセット
２１７            プラーテンロール
【図１】
2007325245.tif 000003
【図２】
2007325245.tif 000004